【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
移動局と、この移動局とハンドオーバ状態にある複数の基地局からなるセルラシステムであって、
前記基地局の１つは、パケット送信基地局として共用チャネルを用いて移動局へのパケット送信を行い、
前記移動局は、下り個別チャネルで受信する信号の目標ＳＩＲを制御することにより、パケット送信基地局のみからの上り個別チャネルの送信電力制御信号の受信品質を制御する手段を有することを特徴とするセルラシステム。
【請求項２】
前記移動局は、さらに前記目標ＳＩＲに基づいて前記下り個別チャネルの送信電力を制御する送信電力制御信号を生成し、該送信電力制御信号を前記上り個別チャネルにより前記パケット送信基地局に送信することを特徴とする請求項１記載のセルラシステム。
【請求項３】
複数の基地局とハンドオーバを行う移動局であって、
前記複数の基地局のうちのパケットを送信するパケット送信基地局から共用チャネルを用いてパケットを受信する手段と、下り個別チャネルで受信する信号の目標ＳＩＲを制御することにより、パケット送信基地局のみからの上り個別チャネルの送信電力制御信号の受信品質を制御する手段とを有することを特徴とする移動局。
【請求項４】
前記目標ＳＩＲに基づいて前記下り個別チャネルの送信電力を制御する送信電力制御信号を生成し、該送信電力制御信号を前記上り個別チャネルにより前記パケット送信基地局に送信する手段を、さらに有することを特徴とする請求項３記載の移動局。
【請求項５】
複数の基地局とハンドオーバを行う移動局における通信制御方法であって、
前記複数の基地局のうちのパケットを送信するパケット送信基地局から共用チャネルを用いてパケットを受信するステップと、下り個別チャネルで受信する信号の目標ＳＩＲを制御することにより、パケット送信基地局のみからの上り個別チャネルの送信電力制御信号の受信品質を制御するステップとを有することを特徴とする通信制御方法。
【請求項６】
前記目標ＳＩＲに基づいて前記下り個別チャネルの送信電力を制御する送信電力制御信号を生成し、該送信電力制御信号を前記上り個別チャネルにより前記パケット送信基地局に送信するステップを、さらに有することを特徴とする請求項５記載の通信制御方法。
【請求項７】
移動局と、この移動局とハンドオーバ状態にある複数の基地局からなるセルラシステムであって、
前記基地局の１つは、パケット送信基地局として共用チャネルを用いて前記移動局へのパケット送信を行い、
前記移動局は、下り個別チャネルで受信する信号の目標ＳＩＲを制御することにより、パケット送信基地局のみからの前記下り個別チャネルに含まれる送信電力制御信号の受信品質を制御する手段を有することを特徴とするセルラシステム。
【請求項８】
前記移動局は、さらに前記目標ＳＩＲに基づいて前記下り個別チャネルの送信電力を制御する送信電力制御信号を生成し、該送信電力制御信号を前記上り個別チャネルにより前記パケット送信基地局に送信することを特徴とする請求項７記載のセルラシステム。
【請求項９】
複数の基地局とハンドオーバを行う移動局であって、
前記複数の基地局のうちのパケットを送信するパケット送信基地局から共用チャネルを用いてパケットを受信する手段と、
下り個別チャネルで受信する信号の目標ＳＩＲを制御することにより、パケット送信基地局のみからの前記下り個別チャネルに含まれる送信電力制御信号の受信品質を制御する手段とを有することを特徴とする移動局。
【請求項１０】
前記目標ＳＩＲに基づいて前記下り個別チャネルの送信電力を制御する送信電力制御信号を生成し、該送信電力制御信号を上り個別チャネルにより前記パケット送信基地局に送信する手段を、さらに有することを特徴とする請求項９記載の移動局。
【請求項１１】
複数の基地局とハンドオーバを行う移動局における通信制御方法であって、
前記複数の基地局のうちのパケットを送信するパケット送信基地局から共用チャネルを用いてパケットを受信するステップと、
下り個別チャネルで受信する信号の目標ＳＩＲを制御することにより、パケット送信基地局のみからの下り個別チャネルに含まれる送信電力制御信号の受信品質を制御するステップとを有することを特徴とする通信制御方法。
【請求項１２】
前記目標ＳＩＲに基づいて前記下り個別チャネルの送信電力を制御する送信電力制御信号を生成し、該送信電力制御信号を上り個別チャネルにより前記パケット送信基地局に送信するステップを、さらに有することを特徴とする請求項１１記載の通信制御方法。
【請求項１３】
前記移動局とハンドオーバ状態にある前記複数の基地局は、前記移動局と上り個別チャネル及び下り個別チャネルを設定することを特徴とする請求項１，２，７，８いずれか記載のセルラシステム。
【請求項１４】
前記複数の基地局と上り個別チャネル及び下り個別チャネルを設定することを特徴とする請求項３，４，９，１０いずれか記載の移動局。
【請求項１５】
前記移動局とハンドオーバ状態にある前記複数の基地局は、前記移動局と上り個別チャネル及び下り個別チャネルを設定することを特徴とする請求項５，６，１１，１２いずれか記載の通信制御方法。
【手続補正２】
【補正対象書類名】明細書
【補正対象項目名】発明の名称
【補正方法】変更
【補正の内容】
【発明の名称】セルラシステム、通信制御方法及びそれに用いる移動局
【手続補正３】
【補正対象書類名】明細書
【補正対象項目名】０００１
【補正方法】変更
【補正の内容】
【０００１】
本発明はセルラシステム、通信制御方法及びそれに用いる移動局に関し、特に高速下りパケット伝送（ＨＳＤＰＡ：Ｈｉｇｈ−Ｓｐｅｅｄ  Ｄｏｗｎｌｉｎｋ  Ｐａｃｋｅｔ  Ａｃｃｅｓｓ）方式のセルラシステム、通信制御方法及びそれに用いる移動局に関するものである。
【手続補正４】
【補正対象書類名】明細書
【補正対象項目名】００２８
【補正方法】変更
【補正の内容】
【００２８】
本発明の目的は、上記の従来の種々の問題点を解決しつつ移動局から基地局へ送信されるパケット受領確認通知のためのＡＣＫ／ＮＡＣＫ信号を、基地局において高品質で受信することが可能なセルラシステム、通信制御方法及びそれに用いる移動局を提供することである。
【手続補正５】
【補正対象書類名】明細書
【補正対象項目名】００２９
【補正方法】変更
【補正の内容】
【００２９】
本発明によるセルラシステムは、
移動局と、この移動局とハンドオーバ状態にある複数の基地局からなるセルラシステムであって、
前記基地局の１つは、パケット送信基地局として共用チャネルを用いて移動局へのパケット送信を行い、
前記移動局は、下り個別チャネルで受信する信号の目標ＳＩＲを制御することにより、パケット送信基地局のみからの上り個別チャネルの送信電力制御信号の受信品質を制御する手段を有することを特徴とする。
【手続補正６】
【補正対象書類名】明細書
【補正対象項目名】００３０
【補正方法】変更
【補正の内容】
【００３０】
本発明による移動局は、
複数の基地局とハンドオーバを行う移動局であって、
前記複数の基地局のうちのパケットを送信するパケット送信基地局から共用チャネルを用いてパケットを受信する手段と、下り個別チャネルで受信する信号の目標ＳＩＲを制御することにより、パケット送信基地局のみからの上り個別チャネルの送信電力制御信号の受信品質を制御する手段とを有することを特徴とする。
【手続補正７】
【補正対象書類名】明細書
【補正対象項目名】００３１
【補正方法】変更
【補正の内容】
【００３１】
本発明による通信制御方法は、
複数の基地局とハンドオーバを行う移動局における通信制御方法であって、
前記複数の基地局のうちのパケットを送信するパケット送信基地局から共用チャネルを用いてパケットを受信するステップと、下り個別チャネルで受信する信号の目標ＳＩＲを制御することにより、パケット送信基地局のみからの上り個別チャネルの送信電力制御信号の受信品質を制御するステップとを有することを特徴とする。
【手続補正８】
【補正対象書類名】明細書
【補正対象項目名】００３２
【補正方法】変更
【補正の内容】
【００３２】
本発明による他のセルラシステムは、
移動局と、この移動局とハンドオーバ状態にある複数の基地局からなるセルラシステムであって、
前記基地局の１つは、パケット送信基地局として共用チャネルを用いて前記移動局へのパケット送信を行い、
前記移動局は、下り個別チャネルで受信する信号の目標ＳＩＲを制御することにより、パケット送信基地局のみからの前記下り個別チャネルに含まれる送信電力制御信号の受信品質を制御する手段を有することを特徴とする。
【手続補正９】
【補正対象書類名】明細書
【補正対象項目名】００３３
【補正方法】変更
【補正の内容】
【００３３】
本発明による他の移動局は、
複数の基地局とハンドオーバを行う移動局であって、
前記複数の基地局のうちのパケットを送信するパケット送信基地局から共用チャネルを用いてパケットを受信する手段と、
下り個別チャネルで受信する信号の目標ＳＩＲを制御することにより、パケット送信基地局のみからの前記下り個別チャネルに含まれる送信電力制御信号の受信品質を制御する手段とを有することを特徴とする。
【手続補正１０】
【補正対象書類名】明細書
【補正対象項目名】００３４
【補正方法】変更
【補正の内容】
【００３４】
本発明による他の通信制御方法は、
複数の基地局とハンドオーバを行う移動局における通信制御方法であって、
前記複数の基地局のうちのパケットを送信するパケット送信基地局から共用チャネルを用いてパケットを受信するステップと、
前記下り個別チャネルで受信する信号の目標ＳＩＲを制御することにより、パケット送信基地局のみからの下り個別チャネルに含まれる送信電力制御信号の受信品質を制御するステップとを有することを特徴とする。
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】